(57)【要約】【課題】本発明は、それぞれ１つの遮断装置９を備えるデポジット錠８を有する、運搬車７を貸し出すための設備１であって、この設備が、集積位置２を有し、この集積位置内において、これら運搬車７が、デポジットを基礎として、少なくとも１つの列３内において、互いに連結された状態で格納可能であり、且つ、デポジットの支払いによって、この少なくとも１つの列３から再び取り出し可能であり、並びに、装置５を有し、この装置が、この集積位置２の領域内において、それぞれのデポジット錠８の遮断装置９に対して、ただこの集積位置２の内部でだけ、これら運搬車７の連結および解放が可能であるように作用する、様式の上記設備に関する。【解決手段】この設備は、装置５が、少なくとも1つの送信部６を有しており、且つ、それぞれのデポジット錠８の遮断装置９が、電気的に作用する制御手段１０を備えており、これら制御手段が、この装置５によって制御可能であることによって特徴付けられる。【特許請求の範囲】
【請求項１】
それぞれ１つの遮断装置（９）を備えるデポジット錠（８）を有する、運搬車（７）を貸し出すための設備（１）であって、この設備が、
集積位置（２）を有し、
この集積位置内において、これら運搬車（７）が、デポジットを基礎として、少なくとも１つの列（３）内において、互いに連結された状態で格納可能であり、且つ、デポジットの支払いによって、この少なくとも１つの列（３）から再び取り出し可能であり、並びに、
装置（５）を有し、
この装置が、この集積位置（２）の領域内において、それぞれのデポジット錠（８）の遮断装置（９）に対して、ただこの集積位置（２）の内部でだけ、これら運搬車（７）の連結および解放が可能であるように作用する、
様式の上記設備において、
装置（５）が、少なくとも1つの送信部（６）を有しており、且つ、それぞれのデポジット錠（８）の遮断装置（９）が、電気的に作用する制御手段（１０）を備えており、これら制御手段が、この装置（５）によって制御可能に構成されていることを特徴とする設備。
【請求項２】
制御手段（１０）は、集積位置（２）毎に、同一の識別記号を有している運搬車（７）だけが、格納可能であるようにプログラミング可能である、ように構成されていることを特徴とする請求項１に記載の設備。
【発明の詳細な説明】
【技術分野】
【０００１】
本発明は、それぞれ１つの遮断装置を備えるデポジット錠を有する、運搬車を貸し出すための設備であって、この設備が、
集積位置を有し、
この集積位置内において、これら運搬車が、デポジットを基礎として、少なくとも１つの列内において、互いに連結された状態で格納可能であり、且つ、デポジットの支払いによって、この少なくとも１つの列から再び取り出し可能であり、並びに、
装置を有し、
この装置が、この集積位置の領域内において、それぞれのデポジット錠の遮断装置に対して、ただこの集積位置の内部でだけ、これら運搬車の連結および解放が可能であるように作用する、
様式の上記設備に関する。
【背景技術】
【０００２】
ドイツ連邦共和国特許公開第４３  ００  ８５２号明細書（特許文献１）は、上記の様式の設備を記載している。この設備の装置は、鉄金属製の案内横ビームによって形成され、この案内横ビームに対して、これらデポジット錠の、磁石を備える遮断装置が反応する。
ただこの案内横ビームの領域内において、および、この案内横ビームに添って極めて近傍に位置決めされた状態でだけ、これら運搬車のデポジット錠は使用され得る。この設備が、比較的に簡単に、且つ頑丈に構成されているにもかかわらず、この設備は、それでも尚、諸欠点を有している。これら欠点の内の１つの欠点は、磁気的に作用する遮断装置を相応して影響を及ぼすことを可能とするために、この運搬車が、この案内横ビームに添って極めて近傍に接近されねばならないということにある。
更に別の欠点は、運搬車のデポジット錠に対して、鉄金属製の品物が側方に近づけられ、従ってこの遮断装置にとって変位または解除のきっかけとなる場合、この設備の外側で、不都合な方法で、運搬車が互いに連結され得ることによって明らかになる。
要するに、更に別の欠点は、その内でこの様式の多くの設備が使用されている、スーパーマーケット内において、これら貸し出された運搬車を、まさにすぐ近くにある設備に格納するために、前もってこれら運搬車が更に隔たった設備から取り出されたにもかかわらず、人々は、買い入れが行われた後、有利には、自身の自動車に極めて近傍に存在している当該の設備に行く、ということにある。そのような場合、この貸し出された運搬車が、もはや、最も近くにある設備において引き渡されえないことが生じる。何故ならば、この設備が既に確保されているからである。
【特許文献１】ドイツ連邦共和国特許公開第４３  ００  ８５２号明細書
【発明の開示】
【発明が解決しようとする課題】
【０００３】
従って、本発明の課題は、今ここで問題になっている当面の様式の設備を、上記された欠点が回避され得るように更に発展させることである。
【課題を解決するための手段】
【０００４】
この課題の解決策は、装置が、少なくとも1つの送信部を有しており、且つ、それぞれのデポジット錠の遮断装置が、電気的に作用する制御手段を備えており、これら制御手段が、この装置によって制御可能である、ということにある。
【発明の効果】
【０００５】
装置の送信部は、有利には、無線技術、およびマイクロ波技術を使用する。同様に超音波技術または赤外線技術も適している。この送信部によって、設備の全空間が捕捉され、且つ従って、不可視にそれぞれのデポジット錠の遮断装置に、どのように精確に、または不精確に、運搬車が１つの列内において格納されているかに関係なく到達する。冒頭に記載した案内横ビームとは対照的に、遮断装置に影響を及ぼすための、運搬車の意識的に行われるべき位置決めは、必要では無い。この送信部、およびデポジット錠毎に設けられた制御手段の使用によって、この設備の外側で、運搬車を相互に連結および解放することは同様にもはや可能ではない。何故ならば、この送信部が、ただこの設備の内側でだけ有効であるからである。要するに、電子式の、即ち「インテリジェントな」制御手段の使用によって、これら制御手段は、ただ同一の識別記号を備えている運搬車だけが、前もって定められた設備の内側で、少なくとも1つの予め設定された列内において、および予め設定された数内において格納され得るように、プログラミング、または識別され得る。このことは、１つの運搬車が、常に、その設備からこの運搬車が同様に以前に取り出された、ただ当該の設備だけにおいて、格納され得ることを意味する。
【０００６】
次に、本発明を、原理説明略図に基づいて詳しく説明する。
【発明を実施するための最良の形態】
【０００７】
この図は、平面図において、集積位置２、例えばいわゆる「パーキングボックス」を有する設備１を示しており、この集積位置によって、例えばショッピングカートとして構成された運搬車７を収容するためのスペースが形成されている。それぞれの運搬車７は、公知の方法で、この運搬車が同じ運搬車７でもって、１つの列３内において場所を取らない状態で、且つ互いの中へ押し入れられた状態で、格納可能であるように構成されている。同様に、それぞれの運搬車７は、連結部材、およびデポジット受取り部を有する公知のデポジット錠８を備えており、従って、この運搬車７は、デポジットの支払いのもとで、最も近い運搬車７から解放可能であり、且つ、使用の後に再び連結可能であり、その際、次いで、前もって支払われたデポジットが再び払い戻される。それぞれのデポジット錠８は、遮断装置９を備えており、この遮断装置の機能態様を、引き続いて説明する。集積位置２の領域内において、装置５が設けられており、この装置は、それぞれのデポジット錠の遮断装置９に対して、ただこの集積位置２の内部のみでこの運搬車７の連結、および解放がデポジットを基礎として可能であるように作用する。この上記のことを達成するために、この装置５は、送信部６を備えており、この送信部６が、この集積位置２の内部で、予め設定された平面４  −一点鎖線で示されている−  を捕捉または照射し、その際、「放射線」として、無線、マイクロ波、超音波、または、赤外光が適している。この送信部６は、例えば、この運搬車７の三つの列３を捕捉する。それぞれのデポジット錠８の遮断装置９は、エネルギー供給源、例えばバッテリーを備え、および、制御電子機器およびこの制御電子機器のための受光装置並びにデポジット錠８の機能に影響を及ぼすことを可能とする遮断ユニット、の様式の制御手段１０を備えている。この電気的に作用する制御手段１０と遮断ユニットとは、作用結合状態にある。それぞれのデポジット錠８は、公知の方法で、更に別の運搬車７のデポジット錠８の連結部材を収容するための竪穴（Schacht）を備えている。この遮断ユニットは、この竪穴に設けられており、且つ、例えば移動可能で制御可能な突出部でもって、１つの運搬車７が、この設備１の外側に、および従ってこの送信部６によって捕捉される領域４の外側に存在する場合に、この竪穴内へと突出している。この状態において、更に別の運搬車７のデポジット錠８の連結部材は、領域４の外側に存在する運搬車７のデポジット錠８の竪穴内に挿入され得ず、従って、同様に如何なる連結工程または解放工程も可能ではない。この設備１内において存在する全ての運搬車７に対して、このデポジット錠８の制御手段１０に対する送信部６は、それぞれのデポジット錠８の遮断ユニットが、これらデポジット錠の竪穴から解離、または導出されているように作用し、従って、そこに存在するこれら運搬車７は、連結され得、または運搬車７が設備１へと運び戻しされ得、且つそこで列３内へと格納され得、同様に連結され得る。選択的に、この遮断ユニットは、同様にこのデポジット錠８の硬貨収容部内へと突出可能であり、従って、如何なるデポジットも挿入され得ず、または作動され得ない。同様にこの場合にも、この���域４の外側で、如何なる連結工程または解放工程も可能ではない。これら制御手段１０は、集積位置２毎に、ただ同一にプログラミングされている、即ち、同一の識別記号を備えている運搬車７だけが、格納可能であるようにプログラミングされている。相応して、この送信部６は、例えば、この送信部の周波数の変更によって、それぞれの集積位置２に適合されていなければならない。この第１の集積位置２のための送信部６は、従って、更に別の集積位置２の送信部６とは異なる周波数において放射する。
【０００８】
設備１毎に、単に一つ以上の装置５、即ち、少なくとも２つの送信部６が配置され得ることは、まだコメントを加えなければならない。更に、どのようにして、その当業者が、制御電子機器、送信部６から放射された放射線を受光するための受光装置、および、遮断ユニットを構成するかは、当業者に委ねられた状態に留まっている。公知のデポジット錠８の多様性という観点から、ここで、種々の形態の可能性が残っている。
【図面の簡単な説明】
【０００９】
【図１】本発明の原理説明略図である。
【符号の説明】
【００１０】
１    設備
２    集積位置
３    列
４    平面
５    装置
６    送信部
７    運搬車
８    デポジット錠
９    遮断装置
１０  制御手段
2005534454.tif 000002
【国際調査報告】
2005534454.tif 000003
2005534454.tif 000004
2005534454.tif 000005
2005534454.tif 000006